(57)【要約】【課題】  ユーザがよく通信を行う通信先のショートカットメニューを容易に作成することを可能にする。【解決手段】  電話の発呼（送信）や電子メールの送信を行う度に、その履歴データを記憶する。ユーザからの指示があると、ＣＰＵは、アドレス帳データに登録されている各レコードについて通信回数をカウントし、接続情報別に重み付けした上で（ステップＳ６３）、通信頻度の高い人を抽出し（ステップＳ６６）、その人宛のショートカットを登録する。トップ画面を表示する際には、ショートカット用のアイコンを生成し、トップページに掲載する。【選択図】  図１３
2006195592.tif 000002
【特許請求の範囲】
【請求項１】
通信先に関する情報を複数記憶する記憶手段と、
外部の通信端末に対して通信処理を行う通信処理手段と、
この通信処理手段によって通信された外部の通信端末の接続情報が前記記憶手段に記憶されている通信先に関する情報に含まれているとき、連絡先毎に通信処理を行った回数をカウントするカウント手段と、
このカウント手段によるカウント値に基づいて前記記憶手段から特定の通信先を選択し、選択された通信先に関する情報を表示させるため表示指標を生成する生成手段と、
この生成手段によって生成された表示指標を表示する表示手段と、
この表示手段に表示された表示指標への指示を検出する指示検出手段と、
この指示検出手段によって表示指標への指示が検出されると、この表示指標に対応する連絡先に関する情報を前記表示手段に表示するよう制御する表示制御手段と、
を備える通信端末。
【請求項２】
前記表示制御手段は、前記連絡先に関する情報として複数の接続情報を表示し、
この複数の接続情報から特定の接続情報を選択する選択手段と、
この選択手段によって選択された接続情報によって特定される外部の通信端末へ通信処理を行うよう前記通信処理手段を制御する通信制御手段と、
を更に備えることを特徴とする請求項１に記載の通信端末。
【請求項３】
前記生成手段はカウント値に基づいて複数の表示指標を生成し、前記表示手段は生成された複数の表示指標を前記カウント値に基づいて表示することを特徴とする請求項１または２に記載の通信端末。
【請求項４】
前記記憶手段は通信先に関する情報として画像を記憶し、
前記生成手段は、選択された通信先に関する情報として前記画像を読出し、サイズを変換したものを表示指標として生成する、ことを特徴とする請求項１乃至３の何れかに記載の通信端末。
【請求項５】
外部の通信端末と通信処理を行う通信処理ステップと、
この通信処理ステップにて通信処理された外部の通信端末の接続情報が予めメモリに記憶されている通信先に関する情報に含まれているとき、連絡先毎に通信処理を行った回数をカウントするカウントステップと、
このカウントステップによるカウント値に基づいて前記メモリから特定の通信先を選択し、選択された通信先に関する情報を表示させるため表示指標を生成する生成ステップと、
この生成ステップにて生成された表示指標を表示させる表示ステップと、
この表示ステップにて表示された表示指標への指示を検出する指示検出ステップと、
この指示検出ステップにて表示指標への指示が検出されると、この表示指標に対応する連絡先に関する情報を表示するよう制御する表示制御ステップと、
から構成されることを特徴とする通信端末の表示方法。
【請求項６】
前記表示制御ステップは、前記連絡先に関する情報として複数の接続情報を表示し、
この複数の接続情報から特定の接続情報を選択する選択ステップと、
この選択ステップにて選択された接続情報によって特定される外部の通信端末へ通信処理を行うよう制御する通信制御ステップと、
を更に含むことを特徴とする請求項５に記載の通信端末の表示方法。
【請求項７】
前記生成ステップはカウント値に基づいて複数の表示指標を生成し、前記表示ステップは生成された複数の表示指標を前記カウント値に基づいて表示させることを特徴とする請求項５または６に記載の通信端末の表示方法。
【請求項８】
前記メモリは通信先に関する情報として画像を記憶し、
前記生成ステップは選択された通信先に関する情報として前記画像を読出し、縮小化したもの表示指標として生成することを特徴とする請求項５乃至７の何れかに記載の通信端末の表示方法。
【請求項９】
通信処理部を備えたコンピュータに、
この通信処理部にて通信処理された外部の通信端末の接続情報が予めメモリに記憶されている通信先に関する情報に含まれているとき、連絡先毎に通信処理を行った回数をカウントするカウントステップと、
このカウントステップによるカウント値に基づいて前記メモリから特定の通信先を選択し、選択された通信先に関する情報を表示させるため表示指標を生成する生成ステップと、
この生成ステップにて生成された表示指標を表示出力する表示ステップと、
この表示ステップにて表示出力された表示指標への指示を検出する指示検出ステップと、
この指示検出ステップにて表示指標への指示が検出されると、この表示指標に対応する連絡先に関する情報を表示出力するよう制御する表示制御ステップと
を実行させることを特徴とするコンピュータプログラム。
【発明の詳細な説明】
【技術分野】
【０００１】
本発明は、例えばショートカット等の表示指標を表示することが可能な通信端末、通信端末の表示方法、及び、コンピュータプログラムに関する。
【背景技術】
【０００２】
携帯電話などに代表される通信端末には、特定の連絡先電話番号、若しくはメールアドレス等の接続情報を待ち受け画面上にショートカットとして表示させ、そこから電話やメールが簡単に発信又は送信できるように構成されている。しかし、従来の通信端末は、このショートカットを使用者自分で作成しなければならないため、不便であった。
【発明の開示】
【発明が解決しようとする課題】
【０００３】
ショートカットをアイコン化して選択を容易にするために、ショートカットメニューにアイコンとアイコンのランクを登録しておき、以後、アイコンが選択される度に、アイコンの配列を更新する手法が開示されている（特許文献１、図１，図７等）。
【０００４】
しかし、この手法でも、当初のアイコンは、ユーザ自らが作成して登録しなければならず、ユーザにとって煩雑である。また、いずれかのアイコンを選択すると、その結果がアイコンの配列に直接的に影響するため、たまたま選択したアイコンが上位に配置されてしまう等の不都合がある。
【特許文献１】特開平１０−１０５３６０（図１，図７）
【０００５】
そこで、本発明は、ユーザがよく通信を行う通信先への通信を容易化することを目的とする。
また、本発明は、ユーザがよく通信を行う通信先の選択用の表示を容易に作成できる、通信端末、通信端末の表示方法、及び、プログラムを提供することを目的とする。
【課題を解決するための手段】
【０００６】
上記課題を解決するため、本発明の第１の観点に係る通信端末装置は、
通信先に関する情報を複数記憶する記憶手段と、
外部の通信端末に対して通信処理を行う通信処理手段と、
この通信処理手段によって通信された外部の通信端末の接続情報が前記記憶手段に記憶されている通信先に関する情報に含まれているとき、連絡先毎に通信処理を行った回数をカウントするカウント手段と、
このカウント手段によるカウント値に基づいて前記記憶手段から特定の通信先を選択し、選択された通信先に関する情報を表示させるため表示指標を生成する生成手段と、
この生成手段によって生成された表示指標を表示する表示手段と、
この表示手段に表示された表示指標への指示を検出する指示検出手段と、
この指示検出手段によって表示指標への指示が検出されると、この表示指標に対応する連絡先に関する情報を前記表示手段に表示するよう制御する表示制御手段と、
を備える。
【０００７】
例えば、前記表示制御手段は、前記連絡先に関する情報として複数の接続情報を表示する。この複数の接続情報から特定の接続情報を選択する選択手段と、この選択手段によって選択された接続情報によって特定される外部の通信端末へ通信処理を行うよう前記通信処理手段を制御する通信制御手段と、を更に配置してもよい。
【０００８】
例えば、前記生成手段はカウント値に基づいて複数の表示指標を生成し、前記表示手段は生成された複数の表示指標を前記カウント値に基づいて表示する。また、例えば、前記記憶手段は通信先に関する情報として画像を記憶し、前記生成手段は選択された通信先に関する情報として前記画像を読出し、サイズを変換（拡大、縮小）したものを表示指標として生成するようにしてもよい。
【０００９】
上記目的を達成するため、この発明の第２の観点に係る通信端末の表示方法は、
外部の通信端末と通信処理を行う通信処理ステップと、
この通信処理ステップにて通信処理された外部の通信端末の接続情報が予めメモリに記憶されている通信先に関する情報に含まれているとき、連絡先毎に通信処理を行った回数をカウントするカウントステップと、
このカウントステップによるカウント値に基づいて前記メモリから特定の通信先を選択し、選択された通信先に関する情報を表示させるため表示指標を生成する生成ステップと、
この生成ステップにて生成された表示指標を表示させる表示ステップと、
この表示ステップにて表示された表示指標への指示を検出する指示検出ステップと、
この指示検出ステップにて表示指標への指示が検出されると、この表示指標に対応する連絡先に関する情報を表示するよう制御する表示制御ステップと、
から構成されることを特徴とする。
【００１０】
例えば、前記表示制御ステップを、前記連絡先に関する情報として複数の接続情報を表示する構成とし、この複数の接続情報から特定の接続情報を選択する選択ステップと、この選択ステップにて選択された接続情報によって特定される外部の通信端末へ通信処理を行うよう制御する通信制御ステップと、を更に配置してもよい。
【００１１】
例えば、前記生成ステップはカウント値に基づいて複数の表示指標を生成し、前記表示ステップは生成された複数の表示指標を前記カウント値に基づいて表示させる。また、例えば、前記メモリは通信先に関する情報として画像を記憶し、前記生成ステップは選択された通信先に関する情報として前記画像を読出し、縮小化したもの表示指標として生成する。
【００１２】
上記目的を達成するため、この発明の第３の観点に係るコンピュータプログラムは、
通信処理部を備えたコンピュータに、
この通信処理部にて通信処理された外部の通信端末の接続情報が予めメモリに記憶されている通信先に関する情報に含まれているとき、連絡先毎に通信処理を行った回数をカウントするカウントステップと、
このカウントステップによるカウント値に基づいて前記メモリから特定の通信先を選択し、選択された通信先に関する情報を表示させるため表示指標を生成する生成ステップと、
この生成ステップにて生成された表示指標を表示出力する表示ステップと、
この表示ステップにて表示出力された表示指標への指示を検出する指示検出ステップと、
この指示検出ステップにて表示指標への指示が検出されると、この表示指標に対応する連絡先に関する情報を表示出力するよう制御する表示制御ステップと、
を実行させることを特徴とする。
【発明の効果】
【００１３】
この発明によれば、通信実績に基づいて、通信先に関する情報を表示させるため表示指標を自動的に生成することができる。
【発明を実施するための最良の形態】
【００１４】
本発明の実施形態にかかるカメラ付き携帯電話機５０について、図面を参酌しつつ説明する。
図１は、携帯電話機５０を開いた状態で正面を眺めた状態を表す正面図である。図２（ａ）は、携帯電話機５０の蓋部５３を表す平面図であり、携帯電話機５０を閉じた状態において、蓋部５３を眺めた状態を示している。図２（ｂ）は、携帯電話機５０の本体部５１を表す平面図であり、携帯電話機５０を閉じた状態において、本体部５１を眺めた状態を示している。
【００１５】
図１に示されるように、携帯電話機５０は、本体部５１とヒンジ部５２と蓋部５３を備える。本体部５１と蓋部５３とはヒンジ部５２によって連結されている。ヒンジ部５２の内部には、本体部５１に固定された図１に図示されない固定軸が設けられている。この固定軸の回りに、本体部５１に対して蓋部５３が回転し、蓋部５３と本体部５１とが開閉可能となっている。
【００１６】
蓋部５３の正面には、スピーカ１０１及びメイン表示部１０２が配置されている。スピーカ１０１は、携帯電話機５０が受信した通話音の音声信号に基づく音声等を出力する。メイン表示部１０２は、液晶表示パネル等の低消費電力型のディスプレイデバイスにより構成され、各種のメッセージ、各種のメニューやリストを表示する。
【００１７】
本体部５１には、報知用スピーカ１２０、カメラキー１０４、メールキー１０５、十字キー１０６、決定キー１０７、アドレス帳キー１０８、ネット接続キー１０９、クリアキー１１０、送信キー１１１、切／電源キー１１２、テンキー部１１３、マイク１１４、報知用ＬＥＤ１１７，撮像レンズ１１８が設けられている。
【００１８】
報知用スピーカ１２０は、図１、図２（ｂ）に示されるように、本体部５１の正面から背面にわたって設けられており、着信音、メールの受信音、その他種々の報知音を出力する。
【００１９】
カメラキー１０４は、本体部５１の正面に設けられている。カメラキー１０４はカメラによる撮影を行うための操作キーであり、ユーザがカメラキー１０４を操作することにより、カメラにより撮影を行う撮影モードが起動される。また、カメラキー１０４の操作により、メイン表示部１０２に画像を表示する動作モードを、カメラによる撮影の対象である撮影対象画像をモニタ画面に出力する撮影モードと、過去の撮影画像を再生出力する再生モードとで切り替えることができる。
【００２０】
メールキー１０５は、メールに関する機能を実行するためのメールモードに移行するキーである。メールキー１０５を操作することにより、送信されたメールの取り込みや、取り込んだメールをメイン表示部１０２に表示させることができる。また、メールキー１０５の操作を介して、送信したいメールを編集するためのメール編集モードに設定することもできる。また、メールキー１０５の操作を介して、メールを送信することもできる。
【００２１】
十字キー１０６は、メイン表示部１０２に表示されたカーソルを移動させ、又はカメラによる撮影時のフォーカスを移動させるための操作キーである。文字等の入力を可能とする入力モードとされると、入力操作を行うためのカーソルがメイン表示部１０２に表示されるが、このカーソルを十字キー１０６の操作により移動させることができる。
【００２２】
また、カメラによる撮影を行う場合に、十字キー１０６の操作により、いわゆるズーム撮影を行うことができる。即ち、十字キー１０６を操作して撮像レンズ１１８を移動させ、撮影対象に対する撮影倍率を変更することができる。この撮影倍率の変更は、ユーザがメイン表示部１０２により撮影対象を確認しつつ、十字キー１１６を操作して撮像レンズ１１８を移動させ、所望の倍率となるように撮像レンズ１１８を位置決めすることによって行う。
【００２３】
決定キー１０７は、選択した内容を決定する入力を行うための操作キーである。例えば、決定キー１０７を操作することにより、メイン表示部１０２に表示させた文字中よりカーソルの操作等によって選択した文字の入力を決定する等の処理を行うことができる。
【００２４】
また、決定キー１０７は、撮影モードにおいて、カメラのシャッターキーとして機能する。即ち、撮影モードで決定キー１０７を操作することにより、メイン表示部１０２に表示されている画像を撮影像として取り込むことができる。
【００２５】
アドレス帳キー１０８は、メイン表示部１０２にアドレス帳を表示するための操作キーである。このアドレス帳キー１０８を操作することにより、記録されている他のユーザのアドレスの一覧をメイン表示部１０２に出力することができる。このアドレスは、電話を発呼（発信）するときに、通話先を指定するために用いることができ、また、メールの送信時に送信先の指定に用いることができる。
【００２６】
ネット接続キー１０９は、携帯電話機５０をインターネットに接続し、メールや他の電子データをインターネットを介して他の端末機器との間で送受信するための操作キーである。
【００２７】
クリアキー１１０は、キャンセル指示用の操作キーであり、他の操作キーを操作して入力した操作内容を取り消すための操作キーである。クリアキー１１０以外の操作キーにより入力した操作内容について、決定キー１０７によって決定する前であれば、クリアキー１１０の操作によって取り消すことができる。
【００２８】
送信キー１１１は、他の電話機に発信を行い得る状態に設定するための操作キーである。この送信キー１１１の操作により発信可能な状態とした後に、発信先（通話する相手方）の電話番号を入力することができる。
【００２９】
切／電源キー１１２は、通話を終了するための通話オフキーと電源をオン／オフ（ＯＮ／ＯＦＦ）するための電源キーを兼ねている。切／電源キー１１２を通話中に押し下げると、携帯電話機５０は相手方の電話機との通信動作を終了する。また、切／電源キー１１２を長押しする操作を行うと、電源オフされた状態から電源オンし又は電源オフされた状態から電源オンする。
【００３０】
テンキー部１１３には、０から９までの一桁の数字を表す１０の数字キー、四則演算を表す＋、−、×、÷の記号、♯、＊の記号等を表すキーが配置されている。数字キーを操作することにより、通話を希望する相手方の電話番号を入力することができる。また、各キーには、対応する文字が割り当てられており、各キーを対応する回数押下することにより、任意の文字を入力し、例えば、メール用の文書を作成することも可能である。
【００３１】
マイク１１４は、ユーザの発生音を受音し、音声信号に変換して出力する。
【００３２】
報知用ＬＥＤ１１７は、携帯電話機５０に対して他の電話機による呼び出しがあった場合や、メールの送信があった場合に、発光動作によって報知する。
【００３３】
撮像レンズ１１８は、撮影対象の画像を、携帯電話機５０内に設けられる撮像モジュール１３９の撮像センサに結像させるレンズであり、カメラの一部として設けられている。
【００３４】
次に、携帯電話機５０の信号処理回路について、図３を参照して説明する。
図３に示されるように、携帯電話機５０は、送受信処理部１５１、音声入出力部１５２、システムＲＯＭ１３２、第一のＲＡＭ１３３、ＣＰＵ１５０、アドレス・データバス処理部１４８、入力部１５３、画像処理制御部１３４、第二のＲＡＭ１３５、プログラムＲＯＭ１３６、表示モジュール系ドライバ１３７、メイン表示部１０２、報知用ＬＥＤ１１７、ステップモータ１３８、ディジタルシグナルプロセッサ（ＤＳＰ）１４０、音源ＩＣ１４２、アンプ１４３、報知用スピーカ１２０、外部記録媒体用ドライブ１４４、及び外部インターフェイスコントローラ１４６を備えている。
【００３５】
送受信処理部１５１は、アンテナ１０３と、無線部１３０と、通信データ処理部１３１ａとオーディオインターフェイス１３１ｂとを備える通信制御部１３１と、を備えている。
【００３６】
アンテナ１０３は、携帯電話機５０に送信された無線信号を受信し、無線部１３０に供給する。
また、無線部１３０より出力された送信信号は、アンテナ１０３より送信される。
【００３７】
無線部１３０は、ＰＳＫ（Phase Shift Keying(位相シフト変調）)方式に基づく変復調、及び、ＣＤＭＡ（Code Division Multiple Access（符号分割多重））方式に基づく無線処理を行う。無線部１３０は、携帯電話機５０が受信機となる場合には、入力された信号を復調する処理を行い、復調した信号を通信制御部１３１に出力する。また、無線部１３０は、携帯電話機５０が送信機となる場合には、通信制御部１３１より入力された信号を変調する処理を行い、変調した信号をアンテナ１０３へ出力する。
【００３８】
通信制御部１３１は、携帯電話機５０における通信処理全般を制御する。通信データ処理部１３１ａは、ＣＥＬＰ系音声復号処理回路、パケットデータ生成回路を備えている。
【００３９】
通信データ処理部１３１ａは、受信動作時に、無線部１３０より入力された信号を復号する等の処理を行い、入力信号が通話に伴う音声信号である場合、処理した信号をオーディオインターフェイス１３１ｂに出力する。また、通信データ処理部１３１ａは、入力された信号が通話に伴う音声信号以外の信号である場合には、処理した信号をデータバス１５５に出力する。
【００４０】
また、通信データ処理部１３１ａは、送信動作時には、オーディオインターフェイス１３１ｂより入力された音声信号やデータバス１５５より入力された信号よりパケットデータを生成する等の処理を行い、処理した信号を無線部１３０に出力する。
【００４１】
オーディオインターフェイス１３１ｂは、通信データ処理部１３１ａで処理される音声信号の入出力を行う。受信動作時には、オーディオインターフェイス１３１ｂの出力音声信号はスピーカ１０１に入力される。そして、スピーカ１０１は、受信した音声信号に基づく通話音を出力する。送信動作時には、オーディオインターフェイス１３１ｂには、マイク１１４より音声信号が入力される。
【００４２】
システムＲＯＭ（Read Only Memory）１３２は、基本ＯＳや端末の認証に必要な各種データを記憶する。システムＲＯＭ１３２には、携帯電話機５０の動作の制御処理に必要な制御プログラムも記憶されている。
【００４３】
第一のＲＡＭ（Random Access Memory）１３３は、図４に図示するようなメモリ構成であり、アドレス帳データ領域１３３１、電話発呼（発信）履歴テーブル領域１３３２、メール送信履歴テーブル領域１３３３、ショートカット設定テーブル領域１３３４、及び、その他データ領域１３３５を備える。
【００４４】
アドレス帳データ１３３１は、図５に示すように、通信先ＩＤ、相手先の名前、固定電話番号、携帯電話番号、メールアドレス等の接続情報、住所等のデータを一組のレコードとして記憶している。尚、固定電話番号、携帯電話番号、メールアドレス等の接続情報については、各々複数登録可能であり、それらの複数の情報が一組のレコードに含まれていても良い。
【００４５】
また、電話発呼（発信）履歴テーブル１３３２は、図６（ａ）に示すように、この携帯電話機５０のユーザが発呼した（電話をかけた）時刻、相手先の名前、電話番号（固定電話番号、携帯電話番号）を一組のレコードとして記憶している。また、メール送信履歴テーブル１３３３は、図６（ｂ）に示すように、この携帯電話機５０のユーザが送信したメールの送信時刻、送信先アドレス、送信先の名前等の情報を一組のレコードとして記憶している。
【００４６】
携帯電話機５０を操作して発呼すると、最新の発呼に関する履歴データが電話発呼（発信）履歴テーブル１３３２に追加される。また、電子メールを送信すると、最新の送信に関する履歴データがメール送信履歴テーブル１３３３に追加される。これらのデータの総量がそれぞれのテーブルの記憶容量を超えた場合には、古いデータから順に廃棄される。
【００４７】
また、ショートカット設定テーブル１３３４は、図７に示すように、アドレス帳データ１３３１に登録されているデータのうちのいずれをショートカットの対象とするかを定義するデータが記憶されている。図７の例では、通信先ＩＤが０００１，０００３，．．．のアドレスデータをこの優先順位でショートカットの対象とすることを示している。
【００４８】
ＣＰＵ（Central Processing Unit）１５０は、システムＲＯＭ１３２に格納される制御プログラムに従って、各部の制御を行う。CＰＵ１５０は、制御の必要に応じて、データバス１５５を介して各部と制御信号及びデータを送受信する。ＣＰＵ１５０の制御処理、特に、本実施の携帯電話機５０に特有の部分については、フローチャートを参照して後述する。
【００４９】
入力部１５３には、カメラキー１０４、メールキー１０５、十字キー１０６、決定キー１０７、アドレス帳キー１０８、ネット接続キー１０９、クリアキー１１０、送信キー１１１、切／電源キー１１２、及びテンキー部１１３、等の操作キーのキー操作信号が入力される。
【００５０】
入力部１５３は、入力されたキー操作信号に対応するキーコード信号をデータバス１５５を介してＣＰＵ１５０に出力する。ＣＰＵ１５０は、キーコード信号に基づき操作されたキーや操作内容を検出する。
【００５１】
画像処理制御部１３４は、カメラにより撮影された静止画や動画のデータを、圧縮すべくエンコードする。また、画像処理制御部１３４は、記憶されている圧縮された静止画や動画のデータを再生用に解凍すべくデコードする。
【００５２】
第二のＲＡＭ１３５は、カメラにより撮影され、画像処理制御部１３４によりエンコードされた動画や静止画の画像データ、或いは、外部から入力され、画像処理制御部１３４によってエンコードされたデータを記憶する。また、静止画や動画を再生する場合、第二のＲＡＭ１３５から読み出された画像データは、画像処理制御部１３４に供給され、デコードされる。
【００５３】
第二のＲＡＭ１３５に記憶される静止画や動画のファイルより、携帯電話機５０のユーザにより選択されたファイルの画像をメイン表示部１０２に表示させることができる。また、携帯電話機５０が撮影モードとされ、ユーザの操作により静止画や動画が撮影されると、静止画や動画のデータはファイル形式とされて第二のＲＡＭ１３５に記憶される。
【００５４】
ユーザは、第二のＲＡＭ１３５に記憶される画像ファイルの一覧を示す画像ファイルリストをメイン表示部１０２に表示させ、このリストより所望の画像ファイルを選択し、選択した画像ファイルの静止画又は動画をメイン表示部１０２に表示させることができる。
【００５５】
また、ネットワーク上に配置されているプログラムをダウンロードする操作を行うと、このプログラム信号を含む無線信号をアンテナ１０３が受信すると、受信した信号は無線部１３０及び通信データ処理部１３１ａにより処理される。そして、プログラムに相当するデータが通信データ処理部１３１ａよりデータバス１５５に出力され、プログラムＲＯＭ１３６に入力される。
【００５６】
表示モジュール系ドライバ１３７は、画像のデータや文字のデータに基づく画像や文字をメイン表示部１０２に表示するための制御、及び報知用ＬＥＤ１１７を発光動作させるための制御を行う。
【００５７】
表示モジュール系ドライバ１３７は、データバス１５５より画像のデータや文字のデータが入力されると、これらのデータに対応する所定の制御電圧をメイン表示部１０２を構成するディスプレイデバイスに供給する。これにより、メイン表示部１０２は、表示モジュール系ドライバ１３７に入力された画像データや文字のデータに対応する画像や文字を表示する。
【００５８】
また、表示モジュール系ドライバ１３７は、携帯電話機５０が他の電話機による呼び出しを受信し又は携帯電話機５０へのメールの送信があったことを受信すると、報知用ＬＥＤ１１７を発光させる動作電圧を報知用ＬＥＤ１１７に出力する。
【００５９】
ステップモータ１３８は、撮像レンズ１１８を撮像モジュール１３９に対して相対的に移動させる。撮像レンズ１１８が移動すると、撮影対象の画像が撮像モジュール１３９の撮像センサ上に結像する際の倍率が変化する。
【００６０】
ステップモータ１３８は、十字キー１０６が操作される操作量に応じて動作する。十字キー１０６が操作されると、この操作量を表す入力操作検出信号が入力部１５３よりデータバス１５５に入力される。
【００６１】
ＣＰＵ１５０は、この十字キー１０６に対する操作量を表す入力操作検出信号を検出すると、十字キー１０６の操作量に対応させたモータの回転量を表す動作制御信号をステップモータ１３８の制御回路に出力する。これにより、十字キー１０６の操作量に応じて、ステップモータ１３８を動作させ、撮像レンズ１１８を移動させることができる。
【００６２】
撮像モジュール１３９は、撮影対象の画像データを得る。撮像モジュール１３９は、画像データを得るための撮像センサを備えている。この撮像センサのセンサ面に、撮影対象の二次元画像が撮像レンズ１１８を通して結像する。撮像センサは、センサ面に結像した二次元画像を取り込み、その画像データを得る。撮像センサが得た画像データはディジタルデータとされる。
【００６３】
この撮像モジュール１３９に組み込まれる撮像センサとして、二次元のＣＣＤ（Charge Coupled Device）センサを用いることができる。
【００６４】
ユーザがカメラキー１０４を操作し、撮影モードが起動されると、ＣＰＵ１５０は、撮像モジュール１３９を画像データを取り込む動作を行う状態（スタンバイ状態）に制御する。撮像モジュール１３９は、画像データを取り込む。取り込まれた画像データは、ＤＳＰ（ディジタルシグナルプロセッサ）１４０により処理されて、メイン表示部１０２に表示される。また、この状態で、シャッタボタンが操作されると、その時点の撮影画像の画像データが静止画として、第二のＲＡＭ１３５に格納される。
【００６５】
ＤＳＰ１４０は、撮像モジュール１３９から入力された画像データについて、例えば、ＭＰＥＧ／ＪＰＥＧ規格に基づくエンコード処理を行い、画像データを圧縮し、データバス１５５を介して、第二のＲＡＭ１３５に供給する。
【００６６】
音源ＩＣ１４２には、所定の楽曲の音声の音声信号が予め記録されている。音源ＩＣ１４２は、動作信号の入力により、記録している音声信号を出力する。携帯電話機５０が、他の電話機による発信や、メールの送信があったことを受信すると、ＣＰＵ１５０の制御により、データバス１５５より音源ＩＣ１４２に動作信号が入力される。
【００６７】
これにより、音源ＩＣ１４２が音声信号を出力する。音源ＩＣ１４２より出力された音声信号はアナログ増幅器（ＡＭＰ）１４３に入力され、アナログ増幅器１４３で増幅された音声信号は、報知用スピーカ１２０に入力される。これにより、報知用スピーカ１２０は、音源ＩＣ１４２に記録された音声を出力する。
【００６８】
外部記録媒体用ドライブ１４４は、ｍｉｎｉＳＤカード等の外部記録媒体１４５との間でデータの入出力を行う。外部記録媒体用ドライブ１４４を介して、外部記録媒体１４５に記憶されるデータを携帯電話機５０に入力することができ、また携帯電話機５０に記憶されるデータを外部記録媒体１４５に出力することもできる。
【００６９】
外部インターフェイスコントローラ１４６は、外部機器との間でデータの入出力を行う。外部インターフェイスコントローラ１４６を介して、外部入力端子１４７、１５７に接続された外部機器のデータを携帯電話機５０に入力することができ、また、この外部機器に携帯電話機５０のデータを出力することもできる。
【００７０】
この外部インターフェイスコントローラ１４６として、ＵＳＢ（Universal Serial Bus）インターフェイス、１８芯コネクタの両方のインターフェイスを切り替えてデータの送受信を制御するものを設けることもできる。この場合には、外部入力端子１４７、１５７のいずれか一方は、ＵＳＢポートとされ、他方は１８芯コネクタ対応の端子とされる。
【００７１】
アドレス・データバス処理部１４８は、通信制御部１３１、画像処理制御部１３４のアドレス制御、データバス１５５のデータの流れの制御を行う。
【００７２】
次に、上記構成を有する携帯電話機５０の動作について説明する。
電源を立ち上げた際等のトップ画面を表示する必要が生ずると、ＣＰＵ１５０は、メイン表示部１０２に対するトップ画面作成処理を開始する。このトップ画面は、例えば、図１４（ａ）に例示するようなユーザがあらかじめ選択しておいたカレンダや時計などの壁紙に、図７に示したショートカット設定テーブル１３３４に従って生成した図１４（ｂ）に例示するようなショートカットアイコン１０２１を、図１４（ｃ）に示すように合成して表示される。
【００７３】
トップ画面作成処理を開始すると、ＣＰＵ１５０は、まず、第二のＲＡＭに格納されている設定ファイルの内容を読み出す（ステップＳ１１）。続いて、設定ファイルに従って、壁紙として設定されている画像を読み出す（ステップＳ１２）。
【００７４】
次に、設定ファイルに図７に例示するショートカット設定テーブル１３３４が格納されているか否かを判別する（ステップＳ１３）。ショートカット設定テーブル１３３４が格納されていると判別すると（ステップＳ１３；Ｙｅｓ）、ショートカット設定テーブル１３３４に従ってショートカットアイコンを生成するショートカットアイコン生成処理を実行する（ステップＳ１４）。
【００７５】
このショートカットアイコン生成処理においては、図９に示すように、まずＮを１に初期化する（ステップＳ２１）。
【００７６】
続いて、図７のショートカット設定テーブル１３３４に登録されている第Ｎ番目の通信先ＩＤを読み出す（ステップＳ２２）。次に、図５のアドレス帳データ１３３１上で、その通信先ＩＤで特定されるレコードに第二のＲＡＭ１３５に格納されている画像データのリンクアドレスが記憶されているか否か判別する（ステップＳ２３）。記憶されていれば（ステップＳ２３；Ｙｅｓ）、そのリンクをたどり、対応する画像データを縮小化してアイコン（ボタン）を生成し（ステップＳ２４）、記憶されていなければ（ステップＳ２３；Ｎｏ）、デフォルトのアイコン画像とショートカット番号（Ｎ）とを組み合わせてアイコン（ボタン）を生成する（ステップＳ２５）。各アイコンには、対応する接続情報を読み出して表示する処理を割り当てる。
【００７７】
第Ｎ番目のアドレスデータについてアイコンの生成が終了すると、すべてのショートカット設定テーブル１３３４についての処理が終了したか否かを判別し（ステップＳ２６）、終了していなければ（ステップＳ２６；Ｎｏ）、Ｎを更新（＋１）して、（ステップＳ２７）、前述のステップＳ２２にリターンし、処理を続行する。
【００７８】
一方すべてのショートカット設定テーブル１３３４について処理が終了したと判別される（ステップＳ２６；Ｙｅｓ）と、アイコン生成処理を終了して、図８のトップ画面作成処理にリターンする。
【００７９】
例えば、図７のショートカット設定テーブル１３３４に従えば、まず、N＝１で、アドレス帳の通信先ＩＤが０００１のレコードを読み出し、画像データがリンクされているか否かを判別する。図５のアドレス帳データ１３３１では、ＩＤ＝０００１の「後山静」については画像データ１２３４．ｊｐｇが第二のＲＡＭ１３５に格納されているので、これを読み出して、この画像データを所定サイズに縮小（又は拡大）してショートカットアイコンを生成する。このショートカットアイコンには、アドレス帳の通信先ＩＤが０００１の接続情報（固定電話番号、携帯電話番号、電子メールアドレス）を読み出して表示する処理を割り当てる。続いて、N＝２で、アドレス帳データ１３３１の通信先ＩＤが０００３のレコードを読み出し、画像データがリンクされているか否かを判別する。図５のアドレス帳では、通信先ＩＤが０００３の「青空宏」については画像データが登録されていないので、デフォルトの画像を用いてショートカットアイコンにアイコン番号の「２」を組み合わせてアイコン画像を生成する。このショートカットアイコンには、アドレス帳の通信先ＩＤがＩＤ０００３の接続情報を読み出して表示する処理を割り当てる。
【００８０】
アイコンの作成が終了すると、設定に従って他の表示画像を生成し（ステップＳ１５）、最後に、壁紙、アイコンなどの画像を合成し、待ち受け状態に入る（ステップＳ１６）。
【００８１】
次に、ショートカットアイコンが操作されたときの、この携帯電話機５０の動作を図１０を参照して説明する。
画面に表示されているショートカットアイコンがユーザが選択・操作すると、その指示がＯＳにより検出され、ＣＰＵ１５０は、図１０に示す処理を開始する。
【００８２】
まず、ＣＰＵ１５０は、操作されたアイコンに関連付けられている接続情報をアドレス帳データ１３３１から読み出し、例えば、電話をかけるか、メールをするかを問い合わせる問い合わせ画面を生成し表示する（ステップＳ３１）。
【００８３】
例えば、図７に示すショートカット設定テーブル１３３４が設定されているとすれば、図１４（ａ）に示すトップページが表示される。ここで、第１のショートカットアイコンが選択されたとすれば、図５に示すアドレス帳データ１３３１によって、通信先ＩＤが０００１の「後山静」の接続情報が読み出されて、図１５（ａ）に示すような画像データを縮小化して生成したアイコンと名前と電話をかけるか電子メールを出すかを問い合わせる画面を合成し表示する。なお、上記のアイコンが無い場合には、デフォルトのアイコンを表示する。
【００８４】
続いて、入力を待機する（ステップＳ３２）。
この段階で、送信キー１１１が操作されると、この操作がステップＳ３２で検出され、表示されているユーザについて、登録されている接続情報のうち、優先的に発呼すべき電話番号（固定電話番号、携帯電話番号）宛に発呼（発信）する（ステップＳ３５）。
【００８５】
一方、入力待機状態で、カーソルを操作して「電話をする」が選択された場合、この操作がステップＳ３２で検出され、登録されている電話番号が１つであるか否かを判別する（ステップＳ３３）。登録されている電話番号が１つのみであると判別された場合には、その電話番号に発呼する（ステップＳ３５）。
【００８６】
一方、登録されている電話番号が複数ある場合には、いずれかの電話番号を選択するための選択画面、例えば、図１５（ｂ）に示すような、格納されている電話番号の一覧と選択カーソルとを表示し、いずれかの電話番号をユーザに選択させる（ステップＳ３４）。任意の電話番号が選択されると、選択された電話番号に、発呼する（ステップＳ３５）。
以後は、通常の通話（通信）処理に制御を移す。
【００８７】
一方、入力待ち状態（図１５（ａ）の画面が表示されている状態）で、処理選択画面で「メールを送る」が選択された場合、この操作がステップＳ３２で検出され、登録されている接続情報としてメールアドレスが１つであるか否かを判別する（ステップＳ３６）。登録されているメールアドレスが１つのみであると判別された場合には、そのメールアドレスが宛先欄にセットされ、送信元欄に自己のメールアドレスがセットされた、メール作成画面を、例えば、図１５（ｃ）に示すように表示する（ステップＳ３８）。
【００８８】
一方、登録されているメールアドレスが複数ある場合には、いずれかのメールアドレスを選択するための選択画面、例えば、図１５（ｄ）に示すような、登録されているメールアドレスの一覧と選択カーソルとを表示し、いずれかのメールアドレスをユーザに選択させる（ステップＳ３７）。任意のメールアドレスが選択されると、選択されたメールアドレスが宛先欄にセットされ、送信元欄に自己のメールアドレスがセットされた、メール作成画面を図１５（ｃ）に示すように表示する（ステップＳ３８）。
以後は、通常のメール作成処理に制御を移す。
このようにして、ショートカットアイコンを用いた処理が実行される。
【００８９】
次に、アドレス帳を用いた発信又はメール送信処理について説明する。
例えば、ユーザが入力操作部のアドレス帳キー１０８を押下すると、図１１に示す「アドレス帳処理」が起動される。
このアドレス帳処理において、ＣＰＵ１５０は、アドレス帳に登録されている各レコードの「名前」と「顔写真」（画像データ）のリストとを、例えば、図１６に示すように、一覧表示する（ステップＳ４１）。
【００９０】
この一覧表示のうちから、ユーザが任意の名前又は顔写真（画像データ）を選択すると（ステップＳ４２）、この操作がステップＳ４２で検出され、前述の図１０のステップＳ３２にジャンプし、選択された通信先のアドレスデータがアドレス帳より読み出され、例えば、図１５（ａ）に例示したような電話をかけるか、メールをするかを問い合わせる問い合わせ画面を生成し表示する。
【００９１】
上述のようにして、発呼され（電話が発信され）或いはメールを作成して送信すると、図１２（ａ）、（ｂ）に例示する処理が起動され、今回の通話或いはメール送信に関する履歴情報が、図６（ａ）と（ｂ）に示す各テーブルに追加される（ステップＳ５１，Ｓ５２）。この際、メモリ領域が不足したならば、一番古いデータが削除される。
【００９２】
上述のように、ショートカットアイコンを用いた処理は、通信先に簡便に通信を行うことを可能とし、便利なものである。このショートカットを設定するためには、通常は、ユーザは、アドレス帳の何番目のアドレスデータをショートカットの何番目に設定するか、アイコンを何にするか、等のデータをキー操作部を操作して入力し、設定する。
【００９３】
ただし、このような作業は、一般に、煩雑で面倒であり、携帯電話機５０を扱い慣れた人でないと困難である。
そこで、本実施形態の携帯電話機５０は、ショートカットを自動的に設定する機能を備える。
【００９４】
以下、ショートカットを自動的に設定する機能と処理について説明する。
【００９５】
まず、ユーザは、キーを操作して、任意のメニュー上で、「ショートカットの自動設定」を選択する。この選択に応答して、ＣＰＵ１５０は、図１３の処理を開始する。
まず、ＣＰＵ１５０は、アドレス帳上の通信先ＩＤを示すポインタｉを０００１に設定する（ステップＳ６１）。
【００９６】
続いて、電話発呼（発信）履歴テーブル１３３２、メール送信履歴テーブル１３３３を検索し、通信先ＩＤがｉである発呼数及びメール送信数をカウントする（ステップＳ６２）。
【００９７】
続いて、カウント値に基づいて次式で表される指標値Ｐを計算する。
この指標値Ｐｉ＝Ｗ１・発呼回数＋Ｗ２・メール送信回数
である。Ｗ１とＷ２はあらかじめ設定された重み定数であり、例えば、Ｗ１＝Ｗ２＝１である。
【００９８】
続いて、アドレス帳データ１３３１の全てのレコードについて通信先ＩＤ毎にチェックが完了したか否か、即ち、ポインタｉが通信先ＩＤの最大値に達したか否かを判別する（ステップＳ６４）。チェックが完了していなければ（ステップＳ６４；Ｎｏ）、ポインタｉを更新（＋１）して（ステップＳ６５）、ステップＳ６２に戻り、同様の処理を繰り返す。
【００９９】
一方、ステップＳ６４で、全ての通信先ＩＤについてチェックが完了したと判別した場合には（ステップＳ６４；Ｙｅｓ）、ステップＳ６３で求めた指標値Ｐｉ（Ｐ１、Ｐ２、Ｐ３．．．）のうち、値の大きいものをｍ個抽出する（ステップＳ６６）。抽出されたｍ個の指標値Ｐｉに係る通信先ＩＤは、携帯電話機５０の利用者が比較的頻繁に通信している（電話をかけている又はメールを送信している）人であり、ショートカットを作成した場合に、利用頻度が高いと予想される通信先ＩＤである。
【０１００】
次に、抽出した上位ｍ個のＰｉに対応する通信先ＩＤを、上位から順に第二のＲＡＭ１３５に格納されているショートカット設定テーブル１３３４（図７）に登録する（ステップＳ６７）。
【０１０１】
その後、トップ画面作成処理（図８）を起動して（ステップＳ６８）、ショートカット自動設定処理を終了する。
【０１０２】
以上説明したように、この実施形態に係る携帯電話機５０によれば、ユーザがよく発呼したり電子メールを送信する相手を指定するためのショートカット、即ち、利用頻度の高いと想定されるショートカットを自動的に生成することが可能となる。
【０１０３】
なお、この発明は上記実施形態に限定されず、種々の変形及び応用が可能である。
【０１０４】
例えば、図１３のステップＳ６２で実行する検索処理において、過去所定期間内、例えば、１週間、１月以内の履歴データのみに基づいて指標値Ｐｉを計算してもよい。また、指標値Ｐｉを求める手法も上記の例に限定されず、そのユーザにとって比較的利用度の高い相手先を特定できるならば、任意の手法を採用可能である。例えば、Ｐｉ＝Ｗ１・トータルの通話時間＋Ｗ２・トータルのメールの長さ（又はテキスト数）等としてもよい。
【０１０５】
さらに、ショートカットアイコンを生成する手法や、ショートカットアイコンを生成するタイミングも任意である。例えば、上記の実施形態では、トップ画面を作成する際に、ショートカットテーブルを参照して、ショートカットアイコンを作成したが、例えば、この段階で履歴データを処理して、ショートカットとショートカットアイコンとを生成してもよい。
【０１０６】
さらに、電源立ち上げ時に、一定周期（例えば、１週間毎、１月毎）に、ショートカットを設定できるようにしてもよい。
【０１０７】
上記実施形態では、理解を容易にするため、図６に示すような発呼履歴や送信履歴を登録したが、いわゆるログデータ（通信ログ）をそのまま、ショートカットの生成に使用することも可能である。その場合には、ショートカットアイコンを自動生成する際に、ログデータを検索して、所定期間内の通信について、通信先及び通信媒体別の通信回数をカウントし、上述の指標値Ｐｉを求めればよい。
【０１０８】
上述のハードウエア構成やテーブルやデータ構成も一例であり、同様の機能が実現できるならば、この構成・構造は任意である。
【０１０９】
また、上記実施の例では、接続情報の例として、電話（固定電話、携帯電話）の電話番号と電子メールアドレスの例を示したが、接続情報としてこの他、ＭＡＣアドレスやＩＰアドレス等任意である。
【０１１０】
例えば、電話として、いわゆるＩＰ電話を加えても良い。
また、電子メールと類似のものとして、いわゆる同一通信キャリア会社内でのみ使用できる比較的短いメール（ショートメール）等があるがこれらをメール或いは他の媒体として取り扱っても良い。さらに、インスタントメッセージやトランシーバ通信を他の通信媒体として取り扱うことも可能である。
【０１１１】
これらの場合には、例えば、指標値Ｐｉ＝Ｗ１・発呼回数（ＩＰ電話を含む）＋ Ｗ２・メール送信回数＋Ｗ３・ショートメール送信回数＋ Ｗ４・インスタントメッセージ送信回数等に設定する。
【０１１２】
以上の説明では、携帯電話機５０の動作を制御するための制御プログラムは、システムＲＯＭ１３２に格納されているとして説明した。しかし、コンピュータを装置の全部又は一部として動作させ、上述の制御処理を行うプログラムを、フレキシブルディスク、ＣＤ−ＲＯＭ（Compact Disk Read-Only Memory）、ＤＶＤ（Digital Versatile Disk）、ＭＯ（Magneto Optical Disk）などのコンピュータ読み取り可能な記録媒体に格納して配布し、これをコンピュータにインストールし、上述の手段として動作させ、あるいは上述のステップを実行させてもよい。
【０１１３】
さらに、インターネット上のサーバ装置が有するディスク装置等にプログラムを格納しておき、例えば搬送波に重畳させてコンピュータにダウンロードする等してもよい。
【０１１４】
以上の説明では、携帯電話機５０の例により本発明を説明したが、携帯電話機以外の携帯式端末装置により本発明を実施することもできる。即ち、ショートカットを使用することが可能な通信機能を備える装置については、その外形形状や主機能にかかわらず、本願発明を適用可能である。
【図面の簡単な説明】
【０１１５】
【図１】本発明の一実施形態に係る携帯電話機の正面部分の外観を示す図である。
【図２】携帯電話機を閉じた状態の背面側を示す平面図である。
【図３】携帯電話機の信号処理にかかるブロック図である。
【図４】第一のＲＡＭのメモリ構成を示す図である。
【図５】第一のＲＡＭに展開されるアドレス帳データの構成を示す図である。
【図６】第一のＲＡＭに展開される（ａ）電話発呼（発信）履歴テーブル、（ｂ）メール送信履歴テーブルの例を示す図である。
【図７】第一のＲＡＭに展開されるショートカット設定テーブルの例を示す図である。
【図８】ＣＰＵが実行するトップ画面作成処理のフローチャートである。
【図９】ＣＰＵが実行するショートカットアイコン作成処理のフローチャートである。
【図１０】ショートカットアイコンが操作・指示された際に、ＣＰＵが実行するショートカットアイコン操作処理のフローチャートである。
【図１１】ＣＰＵが実行するアドレス帳起動処理のフローチャートである。
【図１２】履歴データを登録する処理を示すフローチャートであり、（ａ）は、電話発呼（発信）履歴テーブルへ、（ｂ）は、メール送信履歴テーブルへの登録処理を示すものである。
【図１３】ＣＰＵが実行するショートカット自動設定処理のフローチャートである。
【図１４】表示例を示すものであり、（ａ）は壁紙の例、（ｂ）はショートカットアイコンの例、（ｃ）は表示される合成画像の例である。
【図１５】表示例であり、（ａ）は処理選択画面の例、（ｂ）は電話番号選択画面の例、（ｃ）はメール作成画面の例、（ｄ）メールアドレス選択画面の例、を示す図である。
【図１６】表示例であり、アドレス選択画面の例を示す図である。
【符号の説明】
【０１１６】
５０・・・携帯電話機（通信端末）、５１・・・本体部、５２・・・ヒンジ部、５３・・・蓋部、１０１・・・スピーカ、１０２・・・メイン表示部（表示手段）、１０３・・・アンテナ、１０４・・・カメラキー、１０５・・・メールキー、１０６・・・十字キー（選択手段）、１０７・・・決定キー（選択手段）、１０８・・・アドレス帳キー、１０９・・・ネット接続キー、１１０・・・クリアキー、１１１・・・送信キー、１１２・・・切／電源キー、１１３・・・テンキー部、１１４・・・マイク、１１７・・・報知用ＬＥＤ、１１８・・・撮像レンズ、１２０・・・報知用スピーカ、１３０・・・無線部（通信処理手段）、１３１・・・  通信制御部（通信処理手段、通信制御手段）、１３１ａ・・・通信データ処理部（通信処理手段）、１３１ｂ・・・オーディオインターフェイス、１３２・・・システムＲＯＭ、１３３・・・第一のＲＡＭ（記憶手段）、１３４・・・画像処理制御部、１３５・・・第二のＲＡＭ、１３６・・・プログラムＲＯＭ、１３７・・・表示モジュール系ドライバ、１３８・・・ステップモータ、１３９・・・撮像モジュール、１４０・・・ＤＳＰ、１４１・・・増幅器、１４２・・・音源ＩＣ、１４３・・・アンプ（増幅器）、１４４・・・外部記録媒体用ドライブ、１４５・・・外部記録媒体、１４６・・・外部インターフェイスコントローラ、１４７・・・外部入力端子、１５０・・・ＣＰＵ（カウント手段、生成手段、指示検出手段、表示制御手段、通信制御手段）、１５１・・・送受信処理部、１５２・・・音声入出力部、１５３・・・入力部、１５５・・・データバス、１５７・・・外部入力端子
【図１】
2006195592.tif 000003
【図２】
2006195592.tif 000004
【図３】
2006195592.tif 000005
【図４】
2006195592.tif 000006
【図５】
2006195592.tif 000007
【図６】
2006195592.tif 000008
【図７】
2006195592.tif 000009
【図８】
2006195592.tif 000010
【図９】
2006195592.tif 000011
【図１０】
2006195592.tif 000012
【図１１】
2006195592.tif 000013
【図１２】
2006195592.tif 000014
【図１３】
2006195592.tif 000015
【図１４】
2006195592.tif 000016
【図１５】
2006195592.tif 000017
【図１６】
2006195592.tif 000018